(57)【特許請求の範囲】
【請求項１】
同一直線上に配置された第１の複数のコンデンサを備える第１の行であって、前記第１の行の各コンデンサは、第１の端子を備える第１の行と、
縦軸及び横軸によって形成された第１の水平面において前記第１の行に平行な第２の行であって、前記第２の行は、同一直線上に配置された第２の複数のコンデンサを備え、前記第２の行の各コンデンサは、第２の端子を備える第２の行と、
前記第１の行に交差して位置決めされるとともに垂直軸に沿って前記第１の行及び前記第２の行の上に配置された第１の複数のダイオードを備える第３の行であって、前記第１の複数のダイオードのダイオードは、前記縦軸及び前記横軸の交差によって形成された第２の水平面において互いに平行に配置される第３の行と、
前記第１の行に交差して位置決めされるとともに前記垂直軸に沿って前記第３の行の上に配置された第２の複数のダイオードを備える第４の行であって、前記第２の複数のダイオードのダイオードは、前記縦軸及び前記横軸の交差によって形成された第３の水平面において互いに平行に配置され、前記第２の複数のダイオードのダイオードの各々は、前記第１の複数のダイオードの各ダイオードに交差して配置される第４の行と、
前記第１の複数のコンデンサを前記第１の複数のダイオード及び前記第２の複数のダイオードに直接物理的に接続するように構成した第１の複数のリード線と、
前記第２の複数のコンデンサを前記第１の複数のダイオード及び前記第２の複数のダイオードに直接物理的に接続するように構成した第２の複数のリード線と、
を備える電圧増幅器。
【請求項２】
前記第１の複数のリード線及び前記第２の複数のリード線は、ダイオードリード線として前記第１の複数のダイオード及び前記第２の複数のダイオードの各ダイオードから突き出る請求項１に記載の電圧増幅器。
【請求項３】
前記ダイオードリード線の各々は、前記ダイオードリード線の各々を前記第３の行又は前記第４の行から前記第１の端子又は前記第２の端子までそれぞれ延在させる一つ以上の折り曲げを備える請求項２に記載の電圧増幅器。
【請求項４】
前記ダイオードリード線は、前記第１の行と前記第３の行との間に部品間ギャップを形成する長さ及び形状の組合せを備える請求項３に記載の電圧増幅器。
【請求項５】
前記部品間ギャップは、前記第１の行と前記第３の行との間の０．０５６インチの距離を備える請求項４に記載の電圧増幅器。
【請求項６】
前記ダイオードリード線は、前記第３の行と前記第４の行との間にダイオードギャップを形成する長さ及び形状の組合せを備える請求項３に記載の電圧増幅器。
【請求項７】
前記ダイオードギャップは、前記第３の行と前記第４の行との間の０．０２０インチの距離を備える請求項６に記載の電圧増幅器。
【請求項８】
前記電圧増幅器に対する支持構造を更に備え、前記支持構造は、誘電体エポキシ層を備える請求項１に記載の電圧増幅器。
【請求項９】
前記電圧増幅器は、プリント配線板と、入力ノードと、出力ノードと、を備え、前記入力ノード及び前記出力ノードは、前記プリント配線板に対する唯一の結合である請求項１に記載の電圧増幅器。
【請求項１０】
前記第１の複数のダイオードの各々は、前記第１の行に対する順バイアスがかけられ、前記第２の複数のダイオードの各々は、前記第２の行に対する順バイアスがかけられる請求項１に記載の電圧増幅器。
【請求項１１】
電圧増幅器を製造する方法であって、
垂直軸に沿って第１のコンデンサの上に第１のダイオードを位置決めすることと、
前記第１のダイオードに配置された第１のリード線を用いて、前記第１のコンデンサに配置された第１の端子に前記第１のダイオードを直接物理的に結合することと、
前記第１のダイオードに配置された第２のリード線を用いて、第２のコンデンサに配置された第２の端子に前記第１のダイオードを直接物理的に結合することであって、前記第１のダイオードは、第１の方向において順バイアスがかけられていることと、
垂直軸に沿って前記第１のダイオードの上に交差して位置決めされるように第２のダイオードを位置決めすることであって、前記第２のダイオードは、第２の方向において順バイアスがかけられていることと、
前記第２のダイオードに配置された第３のリード線を用いて、前記第１の端子に前記第２のダイオードを直接物理的に結合することと、
前記第２のダイオードに配置された第４のリード線を用いて、前記第２のコンデンサに配置された第３の端子に前記第２のダイオードを直接物理的に結合することと、
前記第１のコンデンサを第１の行に配置するとともに前記第２のコンデンサを第２の行に配置することと、
を備える方法。
【請求項１２】
前記第１のダイオードに水平方向で隣接するとともに平行となるように第３のダイオードを縦軸及び横軸の交差によって形成された水平面において位置決めすることと、
前記第３のダイオードに配置した第５のリード線を用いて、前記第３の端子に前記第３のダイオードを結合することと、
前記第３のダイオードに配置した第６のリード線を用いて、前記第１のコンデンサに配置された第４の端子に前記第３のダイオードを結合することであって、前記第３のダイオードは、前記第１の方向において順バイアスがかけられていることと、
を備える請求項１１に記載の方法。
【請求項１３】
前記第１のコンデンサに隣接するように前記第１の行に第３のコンデンサを位置決めすることと、
前記第６のリード線に前記第３のコンデンサを結合することと、
前記第２のコンデンサに隣接するように前記第２の行に第４のコンデンサを配置することと、
前記第５のリード線に前記第４のコンデンサを結合することと、
を備える請求項１２に記載の方法。
【請求項１４】
前記第１のダイオード及び前記第２のダイオードを、各リード線を各端子にはんだ付けすることによって結合する請求項１１に記載の方法。
【請求項１５】
各リード線を各端子にはんだ付けする前に各結合に接着剤を設けることを備える請求項１４に記載の方法。
【請求項１６】
誘電体コーティングを形成するために前記電圧増幅器をポッティングすることを備える請求項１１に記載の方法。
【請求項１７】
プリント回路板と、
電圧増幅器と、
を備え、前記電圧増幅器は、
一つ以上の段を備え、各段は、入力電圧の略２倍の出力電圧を生成するように構成され、各段は、
各々がダイオード本体、第１のダイオードリード線及び第２のダイオードリード線を備える複数のダイオードと、
第１の行及び第２の行に配置された複数のコンデンサであって、前記複数のコンデンサの各々がコンデンサ面の中に配置され、各コンデンサがコンデンサ本体、第１の端子及び第２の端子を備える複数のコンデンサと、
前記第１の端子に前記第１のダイオードリード線を直接物理的に接続する複数の接合部と、
を備え、
前記プリント回路板に直接物理的に接続した入力ノードと、
前記プリント回路板に直接物理的に接続した出力ノードと、
を更に備え、各ダイオードの前記第１のダイオードリード線及び前記第２のダイオードリード線は、前記電圧増幅器の接合部に対するフレームワークを提供し、前記第１のダイオードリード線は、前記第１の行の中の一つ以上の端子に電気的に接続し、前記第２のダイオードリード線は、前記第２の行の中の一つ以上の端子に電気的に接続し、各接合部は、前記複数のコンデンサの一つからの第１の端子を、隣接するコンデンサの第２の端子及び前記複数のダイオードの二つのダイオードに結合し、前記電圧増幅器は、前記入力ノード及び前記出力ノードのみを介して前記プリント回路板に結合し、前記二つのダイオードは、垂直軸に沿って垂直方向で離間され、互いに交差して配置されるとともに逆方向に電気的なバイアスをかけながら配置され、第１のダイオードは、前記コンデンサ面と平行の第１のダイオード面にあり、第２のダイオードは、前記第１のダイオード面よりも前記コンデンサ面から更に遠くなるように前記第１のダイオード面と平行の第２のダイオード面にあるように構成された電子装置。
【請求項１８】
前記プリント回路板に電気的に結合したコントローラを備え、前記コントローラは、静電スプレー装置を制御するように構成された請求項１７に記載の電子装置。
【請求項１９】
前記電圧増幅器に配置された誘電体コーティングを備え、前記誘電体コーティングは、エポキシ樹脂を含む請求項１７に記載の電子装置。
【請求項２０】
前記誘電体コーティングは、ポッティング技術を用いて形成される請求項１９に記載の電子装置。
【発明の詳細な説明】
【技術分野】
【０００１】
関連出願の相互参照
この出願は、参照により全体を個々に組み込む２０１３年８月１２日に出願した「電圧増幅器を組み立てるシステム及び方法」(SYSTEM AND METHOD FOR ASSEMBLING A VOLTAGE AMPLIFIER)の表題の米国非仮特許出願第１３／９６４，８４１号の利益を主張し、米国非仮特許出願第１３／９６４，８４１号は、参照により全体を個々に組み込む２０１３年９月１４日に出願した「電圧増幅器を組み立てるシステム及び方法」(SYSTEM AND METHOD FOR ASSEMBLING A VOLTAGE AMPLIFIER)の表題の米国仮特許出願第６１／７０１，２８５号の利益を主張する。
【背景技術】
【０００２】
本発明は、一般的には、ダイオード及びコンデンサを有する電子部品に関し、更に具体的には、カスケード電圧増幅器に関する。
【発明の概要】
【発明が解決しようとする課題】
【０００３】
電圧増幅器、特に、電圧増倍器は、低電圧の交流電流（ＡＣ）を高電圧の直流電流（ＤＣ）に変換する電子回路である。電圧増幅器は、家庭用電化製品の比較的低い電圧又は電光安全性試験設備の極めて高い電圧のような多種多様な用途を有する。普通の電圧増幅器は、しばしば多数の電子部品（例えば、コンデンサ及びダイオード）を有し、これによって、部品の各々を接続及び保護する方法を必要とする。電圧増幅器を用いる設備の小型化及び軽量化に対する要望が増大するに従って、電圧増幅器の信頼性を増大又は維持しながら電圧増幅器部品の寸法及び重量を減少させるのが望ましい。
【課題を解決するための手段】
【０００４】
一実施の形態において、電圧増幅器は、同一直線上に配置した第１の複数のコンデンサを有する第１の行を有し、第１の行の各コンデンサは、第１の端子を有する。さらに、電圧増幅器は、第１の行に水平方向に平行な第２の行を有する。第２の行は、同一直線上に配置した第２の複数のコンデンサを有し、第２の行の各コンデンサは、第２の端子を有する。電圧増幅器は、第１の行に交差して位置決めされるとともに第１の行及び第２の行の上に垂直に配置された第１の複数のダイオードを有する第３の行を有する。さらに、第１の複数のダイオードのダイオードは、水平方向に互いに平行に位置決めされる。電圧増幅器は、第１の行に交差するとともに第３の行の上に垂直に配置された第２の複数のダイオードを有する第４の行を有する。第２の複数のダイオードのダイオードは、水平方向に互いに平行に位置決めされるとともに第１の複数のダイオードの各ダイオードに交差して配置される。さらに、電圧増幅器は、第１の複数のコンデンサを第１の複数のダイオード及び第２の複数のダイオードに直接物理的に接続するように構成した第１の複数のリード線を有する。さらに、電圧増幅器は、第２の複数のコンデンサを第１の複数のダイオード及び第２の複数のダイオードに直接物理的に接続するように構成した第２の複数のリード線を有する。
【０００５】
第２の実施の形態において、電圧増幅器を製造する方法は、第１のコンデンサの上に垂直に第１のダイオードを位置決めすることを有する。方法は、第１のダイオードに配置した第１のリード線を用いて、第１のコンデンサに配置した第１の端子に第１のダイオードを直接物理的に結合することも有する。さらに、方法は、第１のダイオードに配置した第２のリード線を用いて、第２のコンデンサに配置した第２の端子に第１のダイオードを直接物理的に結合することを有する。さらに、第１のダイオードは、第１の方向において順バイアスがかけられる。方法は、第２のダイオードを、第１のダイオードの上に垂直に位置決めするとともに第１のダイオードに交差するように位置決めし、第２のダイオードは、第２の方向において順バイアスがかけられる。方法は、第２のダイオードに配置した第３のリード線を用いて、第１の端子に第２のダイオードを直接物理的に結合することも有する。さらに、方法は、第２のダイオードに配置した第４のリード線を用いて、第２のコンデンサに配置した第３の端子に第２のダイオードを直接物理的に結合することを有する。さらに、方法は、第１のコンデンサを第１の行に配置するとともに第２のコンデンサを第２の行に配置することを有する。
【０００６】
第３の実施の形態において、電子装置は、プリント回路板と、プリント回路板に結合するように構成した電圧増幅器と、を有する。電圧増幅器は、一つ以上の段を有し、各段は、入力電圧の略２倍の出力電圧を生成するように構成される。各段は、複数のダイオードと、第１の行及び第２の行に配置された複数のコンデンサと、第１の端子に第１のダイオードリード線を直接物理的に接続する複数の接合部と、プリント回路板に直接物理的に結合ずる入力ノードと、プリント回路板に直接物理的に結合ずる出力ノードと、を備える。さらに、複数のダイオードの各々は、ダイオード本体、第１のダイオードリード線及び第２のダイオードリード線を有する。さらに、複数のコンデンサの各々は、コンデンサ本体、第１の端子及び第２の端子を有する。各ダイオードの第１のダイオードリード線及び第２のダイオードリード線は、電圧増幅器接合部のフレームワークを提供する。第１のダイオードリード線は、第１の行内の一つ以上の端子に直接物理的に接続し、第２のダイオードリード線は、第２の行内の一つ以上の端子に直接物理的に接続する。各接合部は、複数のコンデンサの一つからの第１の端子を、隣接するコンデンサの第２の端子及び複数のダイオードの二つのダイオードに結合する。さらに、接合部の各々は、プリント回路板から離間する。
【０００７】
本発明のこれら及び他の形態、態様及び利点は、添付図面を参照しながら以下の詳細な説明を読むときに更によく理解され、図面を通じて、同様な文字は、同様なパーツを表す。
【図面の簡単な説明】
【０００８】
【図１】図１は、電圧増倍器の一実施の形態を示す回路図である。
【図２】図２は、プリント回路板上の電圧増倍器の一実施の形態の透視図である。
【図３】図３は、プリント回路板を用いずに組み立てた電圧増倍器の他の実施の形態の上面図である。
【図４】図４は、コンデンサに対する二つのダイオードの幾何学的配置を示す図３の電圧増倍器の二つのコンデンサの接続の側面図である。
【図５】図５は、明瞭のために省略したダイオードを有する図３の電圧増倍器の一実施の形態の側面図である。
【図６】図６は、図３の電圧増倍器の製造方法を示すブロック図である。
【発明を実施するための形態】
【０００９】
本開示の一つ以上の具体的な実施の形態を、以下説明する。これらの実施の形態の簡潔な説明を行うための試みにおいて、実施の全ての形態を明細書において説明しないかもしれない。当然のことながら、任意の工学的又は設計プロジェクトにおけるような任意のそのような実施の開発において、実施間で変化し得るシステムに関連した制約及びビジネスに関連した制約を有するコンプライアンスのような開発者の特定の目的を達成するために、複数の実施に特有の決定を行う必要がある。さらに、当然のことながら、そのような開発の試みは、複雑かつ時間のかかるものであるが、この開示の利益を有する当業者の設計、製作及び製造の通常業務である。
【００１０】
本開示の種々の実施の形態の構成要素を導入するとき、冠詞“ａ”、“ａｎ”、“ｔｈｅ”及び“ｓａｉｄ”は、構成要素の一つ以上が存在することを意図する。表現「備える」、「含む」及び「有する」は、包含的であることを意図し、列挙した構成要素以外の他の構成要素が存在してもよい。動作パラメータ及び／又は環境条件のあらゆる例は、開示した実施の形態の他のパラメータ／条件を除外するものではない。
【００１１】
本開示の種々の実施の形態は、電圧増幅器アセンブリ内のカスケード電圧増幅器を含む。電圧増幅器アセンブリは、ＡＣ電圧を受信し、ＡＣ電圧を更に高いＤＣ電圧に変換する。後に詳細に説明するように、電圧増幅器アセンブリの所定の実施の形態は、コッククロフト‐ワルトン発生器形態で配置したコンデンサ及びダイオードを有する。コンデンサ及びダイオードは、各部品をプリント回路板に溶接するのではなくコンデンサ及び／又はダイオードからのリード線を用いて直接物理的に結合される。個別の電気部品（例えば、コンデンサ又はダイオード）にそれぞれ接続するためにプリント回路板を用いる代わりに接続を行うためにコンデンサリード線及び／又はダイオードリード線を用いることによって、電圧増幅器アセンブリを、電圧増幅器アセンブリ用の入力／出力ノードを設けることにより、個別の部品のそれぞれの間にプリント回路板接続を必要とする電圧増幅器より小型化及び／又は軽量化することができる。また、個別の部品の各々の間のプリント回路板接続を省略することによって、電圧増幅器アセンブリを、個別の部品へのフラッシュオーバーを減少させるために回路板への電圧増幅器の接続前に保護塗装によってコーティングを施すことができる。また、電圧増幅器アセンブリの種々の実施の形態によって、プリント回路板の寸法による制約なく入力電圧に対する出力電圧の所望の比を達成するためのサブアセンブリ（例えば、段）の繰り返しを可能にする。最後に、プリント回路板を用いることなく電圧増幅回路を構成することによって、プロセスを一つの場所で完了することができ、これによって、プリント板の表面の汚染又は湿気、鋭利なはんだ接合及びコンタクトクリーニング（例えば、フラックス残渣の除去）のような製造上の問題を大幅に減少させる。
【００１２】
図面に戻ると、図１は、電圧増幅器１０の一実施の形態の回路図である。電圧増幅器１０の図示した実施の形態は、コッククロフト‐ワルトン増倍器であるが、所定の実施の形態は、電圧を増幅するのに適したグライナッヘル増倍器又は他の電子回路のようなコンデンサ及びダイオードを有するあらゆる電圧増幅器を含むことができる。電圧増幅器１０は、複数のコンデンサ１２及びダイオード１４を有する。コンデンサを、セラミックコンデンサのような電圧増幅に適した任意のタイプのコンデンサとすることができる。理解できるように、コンデンサ１２及びダイオード１４は、一つ以上の段１６に配置される。図示した実施の形態において、電圧増幅器は、３段を有するが、電圧増幅器１０の他の実施の形態は、１，２，３，４，５，６又はそれ以上の段を有することができる。後に説明するとともに当業者には理解できるように、各段１６は、入力電圧１８の電圧を略２倍にする。入力電圧１８を、発生器、変成器又は他の適切なソースから供給される５Ｖ，１０Ｖ，１５Ｖ，２０Ｖ，２５Ｖ，５ｋＶ，１０ｋＶ，１５ｋＶ，２０ｋＶ，２５ｋＶ又はそれより上のような任意の適切なＡＣ入力とすることができる。電圧増幅器１０は、ＩＦＢＤ（機能ブロック図の入力電流）接続２０及び接地接続２２を更に有する。
【００１３】
理解できるように、ＡＣ入力１８が負ピークに到達すると、入力１８は、段１６ａのコンデンサ１２ａを充電する。ＡＣ入力１８の極性が反転すると、コンデンサ１２ａは、放電を行い、第１のコンデンサの電荷の略２倍になるまで段１６ａのコンデンサ１２ｂを充電する。ＡＣ入力が再び極性を反転すると、コンデンサ１６ｂ、したがって、段１６ａは、入力電圧の略２倍の電圧を放電する。その後、この電圧は、電圧増幅器１０において伝送され、段１６ｂ及び段１６ｃによって更に高められる。したがって、電圧増幅器１０は、（完全な状態を仮定するとともにシステムを通じた電力消失を無視すると）複数の段１６によって大きさが入力電圧１８の大きさの２倍に増倍される出力電圧２４を生成する。特に、電圧増幅器１０の図示した実施の形態は、入力電圧１８の略６倍の出力電圧２４を生成する。例えば、入力電圧１８が１０ｋＶである場合、出力電圧２４は、略６０ｋＶとなる。他の実施の形態において、段１６の数及び入力電圧１８の大きさを、出力電圧が−１００Ｖ、４５ｋＶ、６５ｋＶ、８５ｋＶ、１００ｋＶ、１００ｋＶより上の電圧又はこれらの間の電圧の任意のサブセットとなるように選択することができる。
【００１４】
その後、出力電圧２４を、電圧増幅器１０を有する電子装置内の任意の適切な電子回路又は電圧増幅器から分離した電子回路に供給することができる。最後に、電圧増幅器１０の図示した実施の形態は、電圧増幅器１０の又は電圧増幅器１０を利用する電子装置内の負荷又は線路抵抗を表すことができる抵抗２６を有する。また、理解できるように、従来既知の他の種々の電気部品を、信号をフィルタ処理し、電圧を調整し、電流を調整し、又は、他の適切な電気回路の制御を行うために電圧増幅器１０に接続することができる。
【００１５】
図２は、回路板３０に直接物理的に接続した各ダイオード１４及びコンデンサ１２を有する電圧増幅器１０の一実施の形態の透視図である。板３０を、電子装置の他の機能を実行しながら電圧増倍器を用いる電子装置内のプリント回路板とすることができ、又は、電圧増幅のためだけの電子部品とすることができる。例えば、板３０を、静電塗装システムのフローを制御するとともに静電塗装システムのスプレーガン内に配置されるプリント回路板とすることができる。他の実施の形態において、板３０を、電圧増幅器１０の位置を設けるためのだけのものとすることがえきる。さらに、本実施の形態は、電圧増幅器１０の１段１６のみを示すが、板３０は、所望の入力電圧１８に関連する電圧増幅器１０の所望の出力電圧２４に応じて２，３，４又はそれ以上の段に結合することができる。
【００１６】
図示した実施の形態において、プリント回路板３０は、接続機構３２を介してコンデンサ１２ａ，１２ｂ及びダイオード１４ａ，１４ｂ，１４ｃをプリント回路板３０に接続することによってコンデンサ１２及びダイオード１４に対する構造的な支持体を提供する。所定の実施の形態において、各接続機構３２を、コンデンサリード線３４及び／又はダイオードリード線３６を受け入れるように構成したパッド、ホール又は他の適切なコネクタとすることができる。一部の実施の形態において、板３０は、複数のタイプの接続（例えば、ホール及びパッド）を組み合わせる接続機構３２を有することができる。例えば、大容量コンデンサを用いるときには、ダイオード１４を板３０に結合するための表面実装を用いながらコンデンサ１２を板３０に結合するためにスルーホール技術を用いることができる。各実施の形態において、コンデンサリード線３４及びダイオードリード線３６を、板３０の表面上、ホール内又は裏面の接続機構３２において板３０にはんだ付けする。
【００１７】
コンデンサ１２及びダイオード１４に対する構造的な支持体に加えて、板３０は、信号トレース３８を用いてコンデンサ１２及びダイオード１４を電気的に相互接続する。図示した実施の形態は、段１６に対する三つの略ｙ形状信号トレースを有するが、他の実施の形態は、電圧増幅器１０のダイオード１４及びコンデンサ１２を接続するのに適切な任意の形状を有することができる。
【００１８】
図３は、プリント回路板、ブレッドボード又は他のボード相互接続方法を用いることなく組み立てた電圧増幅器１０の他の実施の形態の上面図である。説明を進めるために、縦軸４０、垂直軸４２及び横軸４４について説明し、縦軸４０及び横軸４４の交差によって水平面が形成される。図示したように、コンデンサ１２の各々は、第１の行５０及び第２の行５２に配置される。行ギャップ５４が第１の行５０と第２の行５２との間に存在するように行が配置される。所定の実施の形態において、ギャップ５４を、０．０３インチと０．０７インチとの間、０．０５インチと０．０６インチとの間又はそのサブセットの何れかとすることができる。さらに、コンデンサ１２において、行の各々は、コンデンサ接合部５６を有する。各コンデンサ接合部５６を、電圧フラッシュオーバー及び／又は伝熱を制限するようコンデンサの間にスペースを置くために所望の距離を維持するように設計することができる。例えば、所定の実施の形態において、コンデンサ接合部５６を、０．１００インチと０．１２５インチとの間、０．００５インチと０．１３０インチとの間、０．００５インチと０．２インチとの間又はそのサブセットの何れかとなるように選択することができる。この距離を、スペーサ、コンデンサリード線３４又はダイオードリード線３６によって維持することができる。追加的に、コンデンサ１２の各々を、同一行（例えば、第１の行５０）の隣接するコンデンサ１２に電気的に接続する。この電気的な接続を、コンデンサ１２の端子間の物理的な接触、スペーサ、コンデンサリード線３４又はダイオードリード線３６によって行うことができる。行５０，５２を、複数のダイオード１４を介して電気的に相互接続することができる。具体的には、各コンデンサ接合部５６は、各々が逆方向にバイアスをかける二つのダイオード１４に結合する。換言すれば、一方のダイオード１４は、接合部５６に向かってバイアスがかけられ、他方のダイオード１４は、接合部５６から離れる方向にバイアスがかけられる。
【００１９】
後に詳細に説明するように、ダイオードリード線３６又はコンデンサリード線３４を、電圧増幅器１０に対する少なくとも一部の構造的な支持体を提供する電圧増幅器１０に対するフレームワーク(skeletal framework)を提供するためにコンデンサ１２及びダイオード１４を相互接続するのに用いることができる。後に説明するように、一部の実施の形態において、この構造的な支持体を、他の材料（例えば、エポキシ被覆）によって更に強化することができる。
【００２０】
図４は、図３の電圧増幅器１０の段１６の側面図である。段１６は、第１のコンデンサ６０及び第２のコンデンサ６２のような二つのコンデンサを有する。コンデンサは、行（例えば、第１の行５０及び第２の行５２）の各々に配置された段１６のコンデンサ１２を表す。具体的には、第１のコンデンサ６０を、第１の行５０に配置することができ、第２のコンデンサ６２を、第２の行５２に配置することができる。段１６は、三つのダイオードを更に有するが、図１に示すように、一部のダイオードを、複数の段１６の間で共有することができる。図示した段１６は、第１のダイオード６４、第２のダイオード６６及び第３のダイオード６７を示し、第３のダイオード６７は、横方向４４において奥に配置され、水平方向（例えば、縦方向４２及び横方向４４に交差する面）において第１のダイオード６４に平行である。さらに、第１のコンデンサ６０は、第１のコンデンサ６０の反対端に配置された第１の端子６８及び第１の後部端子６９を有する。同様に、第２のコンデンサ６２は、第２のコンデンサ６２の反対端に配置された第２の端子７０及び第２の後部端子７１を有する。さらに、第１のダイオード６３は、第１のリード線７２及び第２のリード線７４を有し、第２のダイオード６６は、第３のリード線７６及び第４のリード線７８を有する。さらに、第３のダイオード６７は、第５のリード線８０及び第６のリード線８２を有する。
【００２１】
第１のダイオード６４の第１のリード線７２は、第１の端子６８に電気的に接続され、第１のダイオード６４は、第１の端子６８に対して電気的に逆バイアスがかけられる。第２のリード線７４は、第２の端子７０に電気的に接続される。同様に、第２のダイオード６６の第３のリード線７６は、第１の端子６８に電気的に結合され、第２のダイオード６６は、第１の端子６８に対して順バイアスがかけられる。第４のリード線７８は、第２の後部端子７１に電気的に結合される。最後に、第５のリード線８０は、第１の後部端子６９に結合され、第６のリード線８２は、第２の後部端子７１に結合される。さらに、第３のダイオード６７は、第２の後部端子７１に対して順バイアスがかけられる。さらに、第３のダイオード６７は、第１のダイオード６４及び第３のダイオード６７が電圧増幅器１０内にダイオード１４の行を形成するように第１のダイオード６４に物理的に平行である。種々の実施の形態において、リード線の各々を、リフローはんだ付け、ウエーブはんだ付け、手はんだ付け、赤外線はんだ付け、レーザはんだ付け又はその一部の組合せのような種々の従来既知のはんだ付け技術を用いて各端子に電気的に接続することができる。代替として又は追加的に、一部の実施の形態は、冷間鑞付、導電性接着剤（例えば、導電性エポキシ）又は非導電性接着剤を用いることによって電気的な接続を形成することができる。
【００２２】
図５は、明瞭のために省略した個別のダイオード１４を有する図３の電圧増倍器の一実施の形態の側面図である。電圧増幅器１０の図示した実施の形態は、第１の行５０と、第１の行５０に平行となるとともに行５０の後方となるように配置された第２の行と、を示す。ダイオードリード線３６は、図５において各行内のダイオード１４及びコンデンサ１２の相互接続を示した状態のままである。理解できるように、各ダイオードリード線３６は、二つのコンデンサの端子を接続するコンデンサ接合部に接続される。理解できるように、ダイオードリード線３６は、ダイオード１４とコンデンサ１２との間の電気的な接続を提供するのに加えて構造に対する構造的な支持体を提供する。換言すれば、一つのダイオードリード線３６は、二つのコンデンサ１２及びダイオード１４を電気的に接続する。さらに、ダイオードリード線３６は、電圧増幅器１０を強化するのを助けるために電圧増幅器１０に更なる構造的な支持体を追加する誘電体コーティング（図示せず）に対して備えた構造的な支持体を提供する。追加的に、誘電体コーディング（図示せず）は、電圧フラッシュオーバーの可能性を十分に制限し、かつ、電気、ほこり、熱等のような外因からの障害から電圧増幅器１０を保護する。
【００２３】
図５に戻ると、ダイオード１４は、下側の行８４及び上側の行８６に配置される。所定の実施の形態において、下側の行８４のダイオード１４の各々は、一方の横方向４４において順バイアスがかけられ、上側の行のダイオード１４の各々は、逆の横方向４４において順バイアスがかけられる。理解できるように、ダイオード１４をバイアス方向に従って行に配置することによって、電圧増幅器１０を更にコンパクトに構成することができる。しかしながら、ダイオード１４を高電圧で近接近させることによって、電圧フラッシュオーバーの可能性が増大する。したがって、下側の行８４及び上側の行８６を、電圧フラッシュオーバーの可能性を減少させるために行８４，８６の間のダイオードギャップ８８を形成して設置する。しかしながら、ギャップ８８の幅を、電圧増幅器１０の寸法を減少させるために最小に保持することができる。例えば、所定の実施の形態において、ギャップ８８を、０．１００インチと０．１２５インチとの間、０．００５インチと０．１３０インチとの間、０．００５インチと０．２インチとの間又はそのサブセットの何れかとなるように設計することができる。同様に、部品間ギャップ９０を、電圧フラッシュオーバーの可能性を減少させるために下側の行８４とコンデンサ１２（例えば、第１の行５０及び／又は第２の行５２）との間に存在したままにする。所定の実施の形態において、部品間ギャップ９０を、０．０５０インチと０．０６０インチとの間、０．００３インチと０．１３０インチとの間、０．００５インチと０．２インチとの間又はそのサブセットの何れかとなるように設計することができる。追加的に、一部の実施の形態は、電圧フラッシュオーバーの確率を更に減少させるためにギャップ８８，９０に誘電体コーティングを充填することを有する。
【００２４】
理解できるように、ダイオード１４を垂直方向４２においてコンデンサ１２の上に配置するとともに相互接続を行うためにダイオードリード線３６を用いることによって、電圧増幅器１０は、個別の部品のそれぞれに直接物理的に接続したプリント回路板を用いる電圧増幅器より軽量化かつ小型化される。追加的に、部品の全てを、製造工程中に接続及び浄化し、その後、後の汚染を防止するよう電圧増幅器１０の全体を封止するために誘電体エポキシによって被覆することができる。
【００２５】
例えば、電圧増幅器１０の一実施の形態を製造する一つの工程１００を、図６に示す。図示した実施の形態において、工程１００は、コンデンサ１２がコンデンサ１２の本体から延在するコンデンサリード線３４を有するか否かの第１の決定を有する（ブロック１０２）。コンデンサ１２がリード線３４を有する場合、リード線３４を、コンデンサの端子において切断／除去する（ブロック１０４）。コンデンサ１２がリード線なしであるので、コンデンサ１２は、ダイオード１４に対する接続の準備を行う。次に、下側の行８４に対する一つ以上のダイオード１４を、部品間ギャップ９０に対する選択した距離を得るように（一つ以上の）ダイオード１４をコンデンサ１２に取り付けることができるようにするためにダイオードリード線３６を折り曲げるとともに（一つ以上の）ダイオードリード線３６を切り取ることによって準備する（ステップ１０６）。同様に、一つ以上のダイオード１４を、ダイオードギャップ８８に対する選択した距離を得るように（一つ以上の）ダイオード１４をコンデンサ１２に取り付けることができるようにするためにダイオードリード線３６を折り曲げるとともに（一つ以上の）ダイオードリード線３６を切り取ることによって準備する（ステップ１０８）。
【００２６】
一部の実施の形態において、電圧増幅器１０で用いられるダイオード１４の各々を、各ダイオード１４を取り付ける前に個別に準備することができるが、他の実施の形態は、設計した他の行（例えば、下側の行８４）に対する全てのダイオード１４を準備した後に一度に行（例えば、上側の行８６）に対する全てのダイオード１４を準備することを有することができる。追加的に、所定の実施の形態は、両方の行８４，８６に対して全てのダイオードリード線１６を折り曲げることと、その後に行の所望の長さに従ってリード線３６を切り取ることと、を有することができる。さらに、各ダイオード１４を、手作業、オートメーション又はその一部の組合せによって折り曲げることができる。さらに、方法１００の一部の実施の形態は、電圧増幅器１０内に設置するために既に準備されたダイオードリード線３６とともに製造又は供給されたダイオード１４を有することによって、ブロック１０６及び１０８を省略することができる。一部の実施の形態において、ブロック１０６及び１０８を、工程の反復中に省略することができる。その理由は、他のコンデンサ１２に対して既に接続されかつ折り曲げられた一つ以上のダイオード１４にコンデンサ１２を接続することができるからである。追加的又は代替的に、一部の実施の形態は、リード線３６を切り取るとともにコンデンサ１２に接続した後に同一ステップではなく次のステップで各ダイオードリード線３６を折り曲げることを有することができる（例えば、ブロック１０６及び１０８を個別の折り曲げステップ及び切り取りステップに分割することができ、ブロック１１０が分割ステップで現れることができる。）。例えば、一部の実施の形態は、所望のコンデンサ１２の各々を相互接続した後に一つの行８４又は８６のダイオードリード線３６を折り曲げることを有することができる。
【００２７】
図６に戻ると、一度ダイオード１４がシステム内に設置するために準備されると、第１のダイオード６４からのダイオードリード線７２は、コンデンサ１２の第１の端子６８に電気的に接続され、第２のダイオードからのダイオードリード線７６は、コンデンサ１２の第１の端子６８に電気的に接続される（ブロック１１０）。第１の端子６８における接続を行った後、電圧増幅器を構成するために第１の後部端子６９における適切な接続を行う。例えば、第１の端子６８における接続と同様に、コンデンサの第１の後部端子６９を、逆方向にバイアスがかけられた二つのダイオードに接続することができ、一方のダイオードは、下側の行８４に配置され、他方のダイオードは、上側の行８６に配置される。所定の実施の形態において、第１の後方端子６９を、図１に線形的に示すような適切な配置の接続を完了するために外部リード線又は追加のコンデンサ１２に接続することができる。さらに、これらの接続を、はんだ、導電性接着剤、予備はんだ接着、又は電気的な接続を行うための若しくははんだ付けのためのパーツを準備するための他の適切な接続を用いて行うことができる。
【００２８】
一度コンデンサ１２がダイオード１４及び／又は電圧増幅器１０に接続されると、段１６が形成されたか否かを決定する（ブロック１１４）。換言すれば、新たに接続されたコンデンサ１２が段１６として接続した一対のコンデンサ（例えば、コンデンサ６０，６２）を有するか否かを決定する。コンデンサ１２が一対のコンデンサを有しない場合、電圧増幅器１０に接続するための他のコンデンサ１２を準備する（ブロック１１６）。コンデンサ１２が一対のコンデンサを有する場合、電圧増幅器１０に含まれる段の総数に１を加算し（ｎ＝ｎ＋１）、所望の増幅率（例えば、８Ｘ）が段の数の２倍（２ｎ）であるか否かを決定する（ブロック１１８）。ｎが所望の増幅率に等しくない場合、電圧増幅器１０に接続するための他のコンデンサを準備する（ブロック１１６）。ｎが所望の増幅率に等しい場合、接続を完了し、部品及び接続部を浄化する（ブロック１２０）。例えば、追加の外部リード線、ダイオード１４、コンデンサ１２、抵抗及び他の電気的な部品／接続を、（例えば、図１に示す電圧増幅器１０のような）設計された電圧増幅器１０を完成するために追加することができる。また、接続を完了することは、ブロック１１０における元の接続が部品をはんだ付けすることによって行われなかった場合又は追加のはんだ付けが所望される場合に部品をはんだ付け（例えば、フローはんだ付け）することを有することができる。部品及び接続部を、摩擦（例えば、ブラシ掛け）、蒸留水、及び／又は、不純物、潜在的な干渉粒子及び／又は残渣（例えば、フラックス残渣又は接着剤残渣）を除去するための他の液体を用いて浄化することができる。最後に、電圧増幅器１０を、誘電体コーティングで被覆する（ブロック１２２）。所定の実施の形態において、コーティングを、プラスチック（例えば、ポリウレタン）、シリコン、及び／又は、エポキシコーティングを電圧増幅器１０に配置するポッティング工程を用いて形成することができる。誘電体コーティングのこのような塗布は、電圧増幅器１０に対する構造的な支持体を提供するとともに衝撃及び振動に対する抵抗を提供する。追加的に、誘電体コーティングは、湿気、腐食剤、又は、電圧増幅器１０の動作を妨害する他の粒子を排除する。
【００２９】
コンデンサ１２をダイオードリード線３６に直接取り付けることにより個別の部品とプリント回路板との間の接続を省略することによって、電圧増幅器１０の重量及び製造コストの両方を低減する。さらに、電圧増幅器１０の寸法が選択した増幅率のみに依存するので、スペースが省略され、電圧増幅器１０は、板の寸法によって制御される寸法に制限されない。追加的に、コンデンサ１２及びダイオード１４を互いに直接接続した後に誘電体材料を被覆することによって、電圧増幅器１０は、更に高い信頼性を持って形成される。その理由は、回路板に対する各部品の個別の接続を用いる電圧増幅器１０よりもスペースを更にコンパクトにしながら伝熱の放出及び電圧フラッシュオーバーの可能性を減少させることができるからである。さらに、コンデンサ１２及びダイオード１４を互いに接続した後にエポキシでコーティングすることによって、電圧増幅器１０を、プリント回路板の焼き付け及びプリント回路板３０の上に電圧増幅器１０を製造するのに用いられる他の追加的な時間のかかるステップを必要とすることなく一か所で一度に製造することができる。さらに、電圧増幅器１０を一か所で一度に製造することができるようにすることによって、汚染の可能性及び電圧増幅器１０を浄化するのに用いられる時間を減少させることができる。最後に、全てのはんだ付けが一度に行われた後に誘電体材料の被覆を行う場合、電圧増幅器１０は、更に信頼性が高くなる。その理由は、鋭利なはんだ接合に関連したリスクがほとんど除去されるからである。
【００３０】
ここでは発明の所定の形態のみを図示するとともに説明したが、幾多の変更及び変形が当業者には思い付くであろう。したがって、添付した特許請求の範囲が発明の真の精神に含まれるような全てのそのような変更及び変形をカバーすることを意図することを理解されたい。
【図１】
0006042991.tif 000002
【図２】
0006042991.tif 000003
【図３】
0006042991.tif 000004
【図４】
0006042991.tif 000005
【図５】
0006042991.tif 000006
【図６】
0006042991.tif 000007